(57)【特許請求の範囲】
【請求項１】
第１の搬送路と、
当該第１の搬送路から分岐する第２の搬送路と、
当該分岐点近傍に回動可能に設けられた搬送方向切替え用のブレードと、
媒体を挟持して前記第１の搬送路または第２の搬送路に搬送させる搬送手段とを備えた媒体搬送装置であって、
前記ブレードのシャフトの同軸上に前記搬送手段に当接する補助ローラを設け、
前記補助ローラは中空の回転中心部分を有し、該回転中心部分により前記ブレードのシャフトと同軸上に配置されると共に、押圧部材により前記搬送手段に圧接可能な構成としたことを特徴とする媒体処理装置。
【請求項２】
前記搬送手段は、前記分岐点近傍に配置したプレッシャローラに対向する回転駆動可能なフィードローラであることを特徴とする請求項１記載の媒体処理装置。
【請求項３】
前記搬送手段は、前記分岐点近傍に配置し搬送ベルトにより回転駆動可能なプーリと同軸上に配置したフィードローラであることを特徴とする請求項１記載の媒体処理装置。
【発明の詳細な説明】
【技術分野】
【０００１】
本発明は、紙葉類等の媒体処理装置における媒体搬送機構に関する。
【背景技術】
【０００２】
従来、紙幣等の媒体を搬送し所望の処理を行う媒体処理装置において、図８に示すように、搬送方向を切換える技術として、分岐点近傍に回動可能に設けられた搬送方向切替え用のブレード３を回動することより第１の搬送路１または当該第１の搬送路１から分岐する第２の搬送路２に方向を切換える技術があり、前記搬送方向切換機構としては、図７に示したように、ブレードシャフト３ｘに複数のブレード３を固定した構成のものが一般的であった。
【０００３】
そして、第２の搬送路２から別ユニットで第２の搬送路２の延長上にある第３の搬送路２０へ媒体を受け渡すために、第２の搬送路２の下流にローラ対８、９を配置させる構成が一般的であった。
【０００４】
或いは、長さの短い媒体を搬送可能なようにするために、当該媒体を第２の搬送路に搬送するようにブレードを切換えたときにブレードに設けたプレッシャローラを第２の搬送路上のフィードローラに当接させる技術はあった（例えば、特許文献１参照）。
【特許文献１】特開２００４−３３８９１３（段落「００１０」〜「００１４」、第１図）
【発明の開示】
【発明が解決しようとする課題】
【０００５】
しかしながら、図８に示すような構成の場合には、第２の搬送路下流のフィードローラ８から第１の搬送路上流のプレッシャローラ１１までの距離Ｌ以下の長さの媒体は第１の搬送路から第２の搬送路へ搬送することができなかった。
【０００６】
また、媒体を第２の搬送路に搬送するようにブレードを切換えたときにブレードに設けたプレッシャローラが第２の搬送路上のフィードローラに当接するようにした構成の場合には、当該第２の搬送路上のフィードローラから第１の搬送路上流のフィードローラまでの距離Ｍ以下の長さの媒体は第１の搬送路から第２の搬送路へ搬送することができなかった（特許文献１参照）。
【０００７】
また、上記いずれの場合においても、別ユニットで第２の搬送路の延長上にある第３の搬送路へ媒体を受け渡すためのフィードローラローラとプレッシャローラのローラ対を第２の搬送路下流に配置しておく必要があるため、媒体搬送機構を小さくすることができず、媒体処理装置を小型化することができなかった。
【課題を解決するための手段】
【０００８】
本発明は、前述の課題を解決するために次の手段を採用する。第１の搬送路と、当該第１の搬送路から分岐する第２の搬送路と、当該分岐点近傍に回動可能に設けられた搬送方向切替え用のブレードと、媒体を挟持して前記第１の搬送路または第２の搬送路に搬送させる搬送手段とを備えた媒体搬送装置において、前記ブレードのシャフトの同軸上に前記搬送手段に当接する補助ローラを設けるようにした。
【発明の効果】
【０００９】
本発明の媒体処理装置によれば、第１の搬送路と、当該第１の搬送路から分岐する第２の搬送路と、当該分岐点近傍に回動可能に設けられた搬送方向切替え用のブレードと、媒体を挟持して前記第１の搬送路または第２の搬送路に搬送させる搬送手段とを備えた媒体搬送装置において、前記ブレードのシャフトの同軸上に前記搬送手段に当接する補助ローラを設けるようにしたので、長さの短い媒体でも確実に搬送することができるとともに、媒体搬送機構を小さくすることができ、媒体処理装置の小型化が可能となる。
【発明を実施するための最良の形態】
【００１０】
以下、本発明に係る実施形態例を、図面を用いて説明する。なお図面に共通する要素には同一の符号を付す。
【実施例１】
【００１１】
（構成）
図１は実施例１の搬送機構を示す構成図である。同図に示したように、実施例１の媒体搬送機構は、直線状に設けられた第１の搬送路１と、第１の搬送路１の途中から分岐している第２の搬送路２と、第２の搬送路の延長上に配置されており、別ユニットとなっている第３の搬送路２０と、前記分岐部に配置したフィードローラ１０と、第１の搬送路１上に設けられているフィードローラ４および６と、これらに対向するプレッシャローラ５、７および１１と、第３の搬送路２０に沿って設けられているフィードローラ１２及びプレッシャローラ１３と、から構成されている。
【００１２】
そして、第１の搬送路１と第２の搬送路２との分岐部に図２にその外観図を示した搬送方向切換機構が設けられている。同図に示したように、実施例１の媒体搬送機構の搬送方向切換機構は、ブレードシャフト３ｘと同軸上に、ブレード３および補助ローラとして機能するプレッシャローラ２１を複数配置した構成となっている。
【００１３】
そして、ブレード３はブレードシャフト３ｘに固定され、図示しないソレノイド等を駆動源として回動可能となっており、プレッシャローラ２１は、複数のブレード３の間に回転自在に、かつブレードシャフト３ｘの軸方向には固定されて配置されている。
【００１４】
また、図１に示したように、前記フィードローラ４、６、１０および１２は、それぞれプレッシャローラ５、７、１１および１３にそれぞれ当接するように設けられている。
【００１５】
そして、ブレード３を挟んでその前後に位置するように、ローラ対４、５とローラ対６、７は第１の搬送路１に、ローラ対１２、１３は第３の搬送路２０の所定の位置に設けられており、ブレード３の回動を妨げないように配置している。
【００１６】
ローラ対１０、１１は、第１の搬送路１と第２の搬送路２の分岐部に設けられており、図２に示したように、各ブレード３の回動範囲と配置をずらしており、ブレード３の回動を妨げない構成となっている。
【００１７】
プレッシャローラ２１には、同図に示したように、中空シャフト２１ａを設け、当該中空シャフト２１ａを板バネ２２によりフィードローラ１０方向に押し付け、フィードローラ１０が図示しないモータ等により回転することにより媒体を挟持して搬送するようになっている。なお、前記板バネ２２は、プレッシャローラ２１がブレードシャフト３ｘ軸方向に移動しないようも機能するようになっている。
【００１８】
（動作）
以上の構成により実施例１の媒体処理装置は、以下のように動作する。この動作を図１の実施例１の搬送機構を示す構成図および図３の実施例１の搬送方向切換機構の構成図を用いて以下詳細に説明する。
【００１９】
まず、矢印Ａ方向から搬送されてきた媒体Ｐは、フィードローラ４、６および１０とプレッシャローラ５、７および１１から形成されるローラ対により挟持され、フィードローラ４、６、１０の回転により搬送される。
【００２０】
実線で示したようにブレード３を第１の搬送路１を遮って斜めになるように図示しないソレノイド等により切り替えると、フィードローラ４の回転により搬送されてきた媒体Ｐは、フィードローラ１０とプレッシャローラ１１により挟持されたのち、ブレード３ により導かれて第２の搬送路２へ案内される。
【００２１】
このとき中空シャフトを有したプレッシャローラ２１はフィードローラ１０に押し付けられているため、媒体Ｐは挟持され、別ユニットの第３の搬送路２０に沿って設けられているフィードローラ１２とプレッシャローラ１３に受け渡され、矢印Ｂ方向へ搬送される。
【００２２】
この際、フィードローラ１０とプレッシャローラ２１によって、媒体に対するフィード力が発生するため、図８に示したような別ユニットへ受け渡すためのローラ対８、９を別途配置する必要がなく、別ユニットの第３の搬送路２０に沿って設けられているフィードローラ１２とプレッシャローラ１３にそのまま媒体を確実に受け渡すことができる。
【００２３】
ここで、図３に示したプレッシャローラ１１とプレッシャローラ２１との間の距離Ｌｍは、図８に示した距離Ｌよりも短くなるので、長さがＬより短い媒体でも確実に搬送方向を切換えて搬送することができる。
【００２４】
さらに、前記距離Ｌｍはブレードに設けたプレッシャローラと当接する第２の搬送路上のフィードローラから第１の搬送路上流のフィードローラまでの距離Ｍ（特許文献１参照）よりも短くなるので、長さがＭより短い媒体の場合でも確実に搬送方向を切換えて搬送することができる。
【００２５】
また、ブレード３を破線で示したように第１の搬送路１と平行になるように切り替えると、媒体Ｐはブレード３によって直進するように案内され、フィードローラ６とプレッシャローラ７により挟持されて第１の搬送路１を矢印Ｃ方向に搬送される。
【００２６】
（実施例１の効果）
以上のように、実施例１の媒体処理装置によれば、直線状の第１の搬送路と、当該第１の搬送路から分岐する第２の搬送路と、当該分岐点近傍に回動可能に設けられた搬送方向切替え用のブレードと、媒体を挟持して前記第１の搬送路または第２の搬送路に搬送させる搬送手段とを備えた媒体搬送装置において、前記ブレードのシャフトの同軸上に前記搬送手段に当接する補助ローラを設けるようにしたので、長さの短い媒体でも確実に搬送することができるとともに、媒体搬送機構を小さくすることができ、媒体処理装置の小型化が可能となる。
【実施例２】
【００２７】
（構成）
図４は実施例２の搬送機構を示す構成図である。同図に示したように、実施例２の媒体搬送機構は、第１の搬送路１を構成する搬送ベルト３１、３２、３３と、各搬送ベルト３１、３２、３３を回転可能に支持するプーリ３４、３５、３６、３７、３８、３９と、第１の搬送路の途中から分岐している第２の搬送路２と、第２の搬送路２の延長上に配置されており、別ユニットとなっている第３の搬送路２０と、第３の搬送路２０に沿って設けられているフィードローラ１２及びプレッシャローラ１３と、から構成されている。
【００２８】
そして、第１の搬送路１と第２の搬送路２との分岐部に図５にその外観図を示した搬送方向切換機構が設けられている。同図に示したように、実施例２の媒体搬送機構の搬送方向切換機構は、ブレードシャフト３ｘと同軸上に、ブレード３及び補助ローラとして機能するプレッシャローラ２１を複数配置した構成となっている。
【００２９】
そして、ブレード３はブレードシャフト３ｘに固定され、図示しないソレノイド等を駆動源として回動可能となっており、プレッシャローラ２１は、複数のブレード３の間に回転自在に、かつブレードシャフト３ｘの軸方向には固定されて配置されている。
【００３０】
また、プレッシャローラ２１とのローラ対であるフィードローラ４４の同軸上にはプーリ３９が配置されており、ローラ対２１、４４、搬送ベルト３１、プーリ３９は、ブレード３の回動を妨げないように配置している。
【００３１】
プレッシャローラ２１には、同図に示したように、中空シャフト２１ａを設け、当該中空シャフト２１ａを板バネ２２によりフィードローラ４４方向に押し付け、フィードローラ４４が図示しないモータ等により回転することにより媒体を挟持して搬送するようになっている。なお、前記板バネ２２は、プレッシャローラ２１がブレードシャフト３ｘ軸方向に移動しないようにも機能するようになっている。
【００３２】
また、図４に示したように、フィードローラ１２はプレッシャローラ１３に当接するように設けられている。
【００３３】
（動作）
以上の構成により実施例２の媒体処理装置は、以下のように動作する。この動作を図４の実施例２の搬送機構を示す構成図および図６の実施例２の搬送方向切換機構の構成図を用いて以下詳細に説明する。
【００３４】
まず、図示しないモータ等によりプーリ３４、３５、３６、３７、３８、３９を介して搬送ベルト３１、３２、３３が回転した状態において、矢印Ａ方向から搬送されてきた媒体Ｐは、搬送ベルト３１、３２により挟持され、この搬送ベルト３１、３２の回転によりブレード３側に搬送される。
【００３５】
ブレード３を実線で示したように第１の搬送路１を遮って斜めになるように図示しないソレノイド等により切り替えると、搬送ベルト３１、３２により挟持されて搬送されてきた媒体Ｐはブレード３により斜めに導かれ、第２の搬送路２へ案内される。
【００３６】
このとき中空シャフトを有したプレッシャローラ２１はフィードローラ４４に押し付けられているため、媒体Ｐは挟持され、別ユニットの第３の搬送路２０に沿って設けられているフィードローラ１２とプレッシャローラ１３に受け渡され、矢印Ｂ方向へ搬送される。
【００３７】
この際、フィードローラ４４とプレッシャローラ２１によって、媒体に対するフィード力が発生するため、図９に示したような別ユニットへ受け渡すためのローラ対８、９を別途配置する必要がなく、別ユニットの第３の搬送路２０に沿って設けられているフィードローラ１２とプレッシャローラ１３にそのまま媒体を確実に受け渡すことができる。
【００３８】
ここで、図６に示したプレッシャローラ２１と搬送ベルト３２との間の距離Ｌｍは、図９に示した距離Ｌよりも短くなるので、長さがＬより短い媒体の場合でも確実に搬送方向を切換えて搬送することができる。
【００３９】
さらに、前記距離Ｌｍはブレードに設けたプレッシャローラと当接する第２の搬送路上のフィードローラから第１の搬送路上流のフィードローラまでの距離Ｍ（特許文献１参照）よりも短くなるので、長さがＭより短い媒体の場合でも確実に搬送方向を切換えて搬送することができる。
【００４０】
また、ブレード３を破線で示したように第１の搬送路１と平行になるように切り替えると、媒体Ｐはブレード３によって直進するように案内され、搬送ベルト３２、３３により挟持されて第１の搬送路１を矢印Ｃ方向に搬送される。
【００４１】
（実施例２の効果）
以上のように、実施例２の媒体処理装置によれば、直線状の第１の搬送路と、当該第１の搬送路から分岐する第２の搬送路と、当該分岐点近傍に回動可能に設けられた搬送方向切替え用のブレードと、媒体を挟持して前記第１の搬送路または第２の搬送路に搬送させる搬送手段とを備え、当該搬送手段として前記分岐点近傍に配置し搬送ベルトにより回転駆動可能なプーリと同軸上に配置したフィードローラを設けた媒体搬送装置において、前記ブレードのシャフトの同軸上に前記搬送手段に当接する補助ローラを設けるようにしたので、長さの短い媒体を確実に搬送することができるとともに、媒体搬送機構を小さくすることができ、媒体処理装置の小型化が可能となる。
【産業上の利用可能性】
【００４２】
以上述べたように、本発明は紙葉類を取扱う装置に広く用いることができる。
【図面の簡単な説明】
【００４３】
【図１】実施例１の搬送機構を示す構成図である。
【図２】実施例１の搬送方向切換機構の外観図である。
【図３】実施例１の搬送方向切換機構の構成図である。
【図４】実施例２の搬送機構を示す構成図である。
【図５】実施例２の搬送方向切換機構の外観図である。
【図６】実施例２の搬送方向切換機構の構成図である。
【図７】従来の搬送方向切換機構の外観図である。
【図８】従来のローラ搬送機構の構成図である。
【図９】従来のベルト搬送機構の構成図である。
【符号の説明】
【００４４】
１  第１の搬送路
２  第２の搬送路
３  ブレード
４、６、８、１０、１２、４４  フィードローラ
５、７、９、１１、１３、２１  プレッシャローラ
２０  第３の搬送路
２２  板バネ
３１  搬送ベルト
３２  搬送ベルト
３３  搬送ベルト
３４〜３９  プーリ
【図１】
0004998298.tif 000002
【図２】
0004998298.tif 000003
【図３】
0004998298.tif 000004
【図４】
0004998298.tif 000005
【図５】
0004998298.tif 000006
【図６】
0004998298.tif 000007
【図７】
0004998298.tif 000008
【図８】
0004998298.tif 000009
【図９】
0004998298.tif 000010